(57)【要約】【課題】投写光学部を携帯型ユニットとした投写型映像表示装置において、利用形態から見ての利便性を向上させることを目的とする。【解決手段】本発明の投写型映像表示装置は、表示映像を形成して投写する投写光学部を携帯型ユニットとした本体１と、本体１を所定位置に保持するように形成されるとともに、保持された本体１からの表示映像がスクリーン５１に投写されるように構成されたホルダ２とを備える。本体１は、電源として２次電池を内蔵し、ホルダ２は、本体１が保持されたときに、本体１に内蔵されている２次電池に充電可能に構成されている。また、ホルダ２は、より具体的には、装着部４１に装着された本体１からの映像光を反射ミラー５２によりリアタイプの原理でスクリーン５１に投写するように構成されている。【選択図】図３
2011227396.tif 000002
【特許請求の範囲】
【請求項１】
表示映像を形成して投写する投写光学部を携帯型ユニットとした本体と、
この本体を所定位置に保持するように形成されるとともに、保持された本体からの表示映像がスクリーンに投写されるように構成されたホルダとを備え、
前記本体は、電源として２次電池を内蔵し、
前記ホルダは、前記本体が保持されたときに、前記２次電池に充電可能に構成されている
ことを特徴とする投写型映像表示装置。
【請求項２】
請求項１記載の投写型映像表示装置において、
前記ホルダは、投写型映像表示装置の装着位置を一定化する装着部を有することを特徴とする投写型映像表示装置。
【請求項３】
請求項２記載の投写型映像表示装置において、
前記本体は、外表面部に２次電池を充電するための充電用端子を有し、
前記ホルダは、前記装着部に前記本体の２次電池充電用の端子に結合される電源端子を有する
ことを特徴とする投写型映像表示装置。
【請求項４】
請求項２又は３記載の投写型映像表示装置において、
前記ホルダは、前面にスクリーンが設けられるとともにこのスクリーンの下部に前記装着部が形成される筐体を有し、
さらに、この筐体内部には、前記スクリーンの背面側内部において、前記装着部に装着された前記本体からの映像光を反射ミラーによりリアタイプの原理で前記スクリーンに投写される光学系が内蔵されている
ことを特徴とする投写型映像表示装置。
【請求項５】
請求項４記載の投写型映像表示装置において、
前記本体は、装着部に装着された状態において、操作部及び表示部で構成されるユーザインタフェース部分が表面に露出するように構成されていることを特徴とする投写型映像表示装置。
【請求項６】
請求項４又は５記載の投写型映像表示装置において、
前記ホルダは、前記装着部と前記筐体内部との間に、前記本体からの映像光を導入させる導入口が形成されるとともに、この導入口には埃侵入防止用シャッタが設けられ、
この埃侵入防止用シャッタは、前記本体が取り付けられていないときには閉鎖されるように構成されている
ことを特徴とする投写型映像表示装置。
【請求項７】
請求項６記載の投写型映像表示装置において、
前記ホルダは、前記装着部に前記本体が装着されているか否かを検出する検出部を有し、この検出部により本体が装着されていないことが検出されたときに前記埃侵入防止用シャッタが自動的に閉鎖されるように構成されていることを特徴とする投写型映像表示装置。
【請求項８】
請求項２〜７の何れか１項に記載の投写型映像表示装置において、
前記本体は、レンズフォーカスダイアルによりフォーカス調整されるレンズフォーカス調整部を有するとともに、このレンズフォーカス調整部には、前記本体が前記装着部に取り付けられるときに調整されるべきレンズフォーカスダイアルの調整位置を示すフォーカスマーカが設けられていることを特徴とする投写型映像表示装置。
【請求項９】
請求項１〜８の何れか１項記載の投写型映像表示装置において、
前記本体は、電話機能を有することを特徴とする投写型映像表示装置。
【発明の詳細な説明】
【技術分野】
【０００１】
本発明は、投写型映像表示装置に係り、特に、光源からの光を光変調して映像光を生成する投写光学部を携帯型にした投写型映像表示装置に関する。
【背景技術】
【０００２】
投写型映像表示装置としては、表示映像を形成して投写する投写光学部をスクリーンと分離しスクリーン表面に映像を投写するフロントタイプと、スクリーンを備えた筐体内に投写光学部を収納し、スクリーンに対し裏面側から映像光を投写するリアタイプとがある。
【０００３】
フロントタイプは、スクリーンが別置きであるため、スクリーン又はこれに代わる適切な壁があれば、どのような場所でも画像表示ができ利便性に優れている。また、近年の電子産業及び情報通信技術の発達に伴いパソコンを始め携帯電話によっても高速インターネットサービスの利用が可能になるにつれ、高画質の映像処理が可能な携帯型の需要が高まっているが、このようなニーズに応えることも容易である。例えば、特許文献１に記載のような携帯電話機能を備えたモバイル用投写型映像表示装置が内蔵された折り畳み型携帯用端末機が提案されている。この携帯端末機は、無線通信機能、情報を入力する入力機能、入力機能の一つとしてのカメラ機能、入力した情報を記憶する記憶機能、記憶された情報を読み出して内部表示部又はスクリーン等の外部表示部に切り換えて投写する機能などを備えている。
【０００４】
しかしながら、スクリーンに代わる適切な壁がどこにでもあるとは限らない。ここでいう適切な壁とは、色が白い、模様がない、長方形の画面を投写するための所定の大きさを備えている、均一な平面であるなどの条件を備えた壁のことである。すなわち、このような条件を備えていない壁の場合にはいろいろな不都合が生じる。例えば、色が白くないときには投写映像の色が本来の色と異なり、模様があるときには投写映像に模様が入り、所要の大きさがないときには投写映像が欠け、均一な平面でなく凹凸があるときには映像に凹凸ができる。また、このような不都合が生じると、視認性が著しく損なわれ鑑賞が不可能となるおそれがある。
【０００５】
また、フロントタイプは、拡大した大きな画像をスクリーンや壁に鮮明に表示するには周囲を暗くする必要がある。投写光学部をスクリーンに近づければ周囲が暗くなくても鮮明な画像を表示することはできるが、画像を大きく表示できない。
【０００６】
これに対し、特許文献２に記載のような従来一般のリアタイプの場合は、周囲が明るくても鮮明な拡大画像を表示できる。しかしながら、従来一般のリアタイプは、スクリーンを備える筐体内に投写光学部を一体に組み込んでいるため、持ち運びが困難で携帯性に欠けるという問題があった。
【０００７】
これに対し、このような欠点を有さないリアタイプとして、特許文献３には、投写光学部を携帯型ユニットとし、この投写光学部と専用のスクリーンを備えた筐体とが分離され、投写光学部が筐体に結合されたときに投写可能としたものが提案されている。
【先行技術文献】
【特許文献】
【０００８】
【特許文献１】特開２００８−５８９７０号公報
【特許文献２】特開２００３−２０７７４０号公報
【特許文献３】特開２００７−３３３７５５号公報
【発明の概要】
【発明が解決しようとする課題】
【０００９】
ところが、この特許文献３のものは、投写光学部とスクリーンを備えた筺体とを分離したものであり、投写光学部を携帯型ユニットとした場合の利用形態については深く研究されていなかった。このため、特許文献３のものは、利用形態から見てなお改善の余地があった。例えば、携帯型機器の代表例である携帯電話では次のような利用形態が見られるが、このような利用形態を採ることができないものであった。
【００１０】
携帯電話は、駆動電源として２次電池が内蔵されるとともに、充電機能を有するホルダが付属部品として準備されている。そこで、ユーザは、外出先から帰宅すると、次の外出時に備えて携帯電話をホルダに設置して２次電池に充電している。また、ホルダは、充電中に電話やメールなどの着信を確認しやすくするために、目に付きやすいところに設置される。特に、携帯電話にＴＶ視聴、音楽再生、映像再生などの機能が付加されている場合には、ユーザが机に向かって座った姿勢で見やすく、手を伸ばして操作しやすい場所として、机の上であるとか机の横の台の上などが選ばれる。
【００１１】
このように、携帯電話は、携帯型機器としての利便性が求められている。したがって、投写光学部を携帯型ユニットとするならば、このように既に普及している携帯型機器を参考にしてその利便性を追求することが必要と考えられる。
【００１２】
そこで、本発明は、このような事情に鑑み成されたもので、投写光学部を携帯型ユニットとした投写型映像表示装置において、利用形態から見ての利便性を向上させることを目的とする。
【課題を解決するための手段】
【００１３】
本発明に係る投写型映像表示装置は、上記課題を解決するために、表示映像を形成して投写する投写光学部を携帯型ユニットとした本体と、この本体を所定位置に保持するように形成されるとともに、保持された本体からの表示映像がスクリーンに投写されるように構成されたホルダとを備え、前記本体は、電源として２次電池を内蔵し、前記ホルダは、前記本体が保持されたときに、前記２次電池に充電可能に構成されていることを特徴とする。
【００１４】
本発明に係る投写型映像表示装置よれば、本体とスクリーンを備えたホルダとが別体とされているので、本体の携帯性を良好にすることができる。また、ホルダに本体を取り付けることによりホルダのスクリーンに映像を投写することができるので、別途スクリーンを用意する必要がない。さらに、ホルダに取り付けた状態で本体に内蔵されている２次電池を充電することができるので、取扱いが容易である。
【００１５】
また、このような投写型映像表示装置において、前記ホルダは、投写型映像表示装置の装着位置を一定化する装着部を有することが好ましい。このように構成すると、本体が装着部に取り付けられることにより、本体とスクリーンとの相対位置関係が一定化する。したがって、本体に内蔵された投写光学部がホルダのスクリーンに対し最適な投写姿勢となるように設けられることになり、投写位置を調節するユーザの手間を省くことができる。
【００１６】
また、前記本体は、外表面部に２次電池を充電するための充電用端子を有し、前記ホルダは、前記装着部に前記本体の２次電池充電用の端子に結合される電源端子を有することが好ましい。このように構成すれば、映像投写と充電作業とを同一装着姿勢で行うことができるので、取扱いが便利である。
【００１７】
また、前記ホルダは、前面にスクリーンが設けられるとともに、このスクリーンの下部に前記装着部が形成される筐体を有し、さらに、この筐体内部には、前記スクリーンの背面側内部において、前記装着部に装着された前記本体からの映像光を反射ミラーによりリアタイプの原理で前記スクリーンに投写される光学系が内蔵されていることが好ましい。このように構成すると、投写型映像表示装置を、フロントタイプよりもコンパクトにするとともに設置性を高めることができる。特に、このような投写型映像表示装置を机の上に設置する場合には、省スペースの要望を満たすことができるので好適である。また、ホルダのスクリーンへの投写状態において、投写型映像表示装置の操作を行うことが容易である。
【００１８】
また、前記本体は、装着部に装着された状態において、操作部及び表示部で構成されるユーザインタフェース部分が表面に露出するように構成されていることが好ましい。このように構成すると、本体の投写機能のみならず付加されるゲーム機能等の操作をも、別途に設けなければならない専用のコントローラに依存することなく、この本体に設けられた操作部により対応することができる。
【００１９】
また、前記ホルダは、前記装着部と前記筐体内部との間に、前記本体からの映像光を導入させる導入口が形成されるとともに、この導入口には埃侵入防止用シャッタが設けられ、この埃侵入防止用シャッタは、前記本体が取り付けられていないときには閉鎖されるように構成されていることが好ましい。導入口から筐体の内側に埃が侵入すると、スクリーンの内側が汚れるため映像の視認性が劣化する。しかしながらこのように構成すると、本体からの投写光を導入口からホルダの筐体内部に導入することを可能にするとともに、埃侵入防止用シャッタを閉鎖することによりこの導入口からの埃の侵入を防止することができる。
【００２０】
前記ホルダは、前記装着部に前記本体が装着されているか否かを検出する検出部を有し、この検出部により本体が装着されていないことが検出されたときに前記埃侵入防止用シャッタが自動的に閉鎖されるように構成されていることが好ましい。このように構成すると、本体が取り付けられていないときに埃侵入防止用シャッタの閉め忘れを防ぐことができ、映像の視認性劣化を軽減することができる。
【００２１】
前記本体は、レンズフォーカスダイアルによりフォーカス調整されるレンズフォーカス調整部を有するとともに、このレンズフォーカス調整部には、前記本体が前記装着部に取り付けられるときに調整されるべきレンズフォーカスダイアルの調整位置を示すフォーカスマーカが設けられていることが好ましい。本体は前述のように装着部に取り付けられているので、本体とスクリーンの距離が一定である。したがって、このように構成されている場合は、本体をホルダに取り付ける前に、本体のレンズフォーカス調整部の調整ダイアルをフォーカスマーカに設定することにより、本体のフォーカス調整を簡単に行うことができる。
【００２２】
前記本体は、携帯電話兼用に構成されているようにしてもよい。このように構成すれば、本体に携帯性を持たせることの意義がより大きくなる。また、表示内容に携帯電話として受けられるコンテンツを拡大投写して表示するようにすれば、携帯電話というよりもパソコンのように利用することも可能となる。
【発明の効果】
【００２３】
本発明に係る投写型映像表示装置によれば、本体とスクリーンを備えたホルダとが別体とされているので、本体の携帯性を良好にすることができる。また、ホルダに本体を取り付けることによりホルダのスクリーンに映像を投写することができるので、別途スクリーンを用意する必要がない。さらに、ホルダに取り付けた状態で本体に内蔵されている２次電池を充電することができるので、取扱いが容易である。
【図面の簡単な説明】
【００２４】
【図１】本発明の実施の形態に係る投写型映像表示装置の外観斜視図であり、本体が取り外されている状態示す。
【図２】同投写型映像表示装置における本体の外観図であり、（ａ）は平面図であり、（ｂ）は正面図である。
【図３】同投写型映像表示装置における本体装着時の側断面図である。
【発明を実施するための形態】
【００２５】
以下、本発明の実施の形態に係る投写型映像表示装置について、図１〜図３を参照しながら説明する。
本実施の形態に係る投写型映像表示装置は、図１に示すように、表示映像を形成して投写する投写光学部を携帯型ユニットとした本体１と、この本体１を後述する装着部４１に保持するように形成されたホルダ２とを備えている。
【００２６】
本体１は、携帯電話会社から提供される各種サービスを受けることのできる機能を備えた携帯電話であって、この携帯電話にさらに表示映像を形成して投写する投写光学部を内蔵させた機器である。本体１は、従来の携帯型端末機と同様に無線通信機能、情報を入力する入力機能、入力機能の一つとしてのカメラ機能、入力した情報を記憶する記憶機能、記憶された情報を読み出して本体１自身の表示部又はスクリーン等の外部表示部に切り換えて投写する機能を備えている。さらに、これら機能には、テレビ受信機能、インターネット通信機能、ビデオ機能、ＧＰＳ機能、決済機能、文書・表作成機能、プラウザ機能等さまざまな機能が包含されるように構成されるとともに、これら機能により作成又は取り込まれた情報を本体１自身の表示部又はスクリーン等の外部表示部に切り換えて投写する機能が備えられている。
【００２７】
また、本体１は、図２（ｂ）に示すような薄型の直方体形状に形成され、後述するホルダ２の装着部４１に対し弾性力により着脱自在に取り付けられる。そして、本体１は、上面に投写レンズ１１と、２次元電池を充電するための充電用端子１２と、レンズフォーカス調整部１３とが形成されている。レンズフォーカス調整部１３には、レンズフォーカスダイアル１３ａ形成されているともに、本体１の筐体側にホルダ２に装着されたときのレンズフォーカスダイアルの位置を示すフォーカスマーカ１３ｂが設けられている。さらに、本体１は、内蔵された２次電池を電源として駆動されるように構成されている。
【００２８】
また、本体１には、正面に設けられた電源スイッチ１４等の操作部と、正面の大部分を占めるように設けられた、内部表示部としてのＬＣＤ表示部１５とからなるユーザインタフェース部分が形成されている。なお、ＬＣＤ表示部１５は、タッチパネル式に形成されており、ＬＣＤ表示部１５に表示された操作キーを操作することにより本体１を操作できるように構成されている。したがって、ＬＣＤ表示部１５は本体１の操作部及び表示部を兼用する。ＬＣＤ表示部１５において、映像キーを選択して再生キーを押すと映像がこのＬＣＤ表示部に再生される。また、映像を再生するオプションとして、外部表示部へ切り換えて再生する再生メニューが設けられており、これを選択すれば、スクリーン等の外部表示部へ所望の映像が投写される。映像投影は後述するホルダ２に装着した状態で行うことを標準としているが、適正な透過型スクリーンが備えられているところであれば、背部から映像光を投写することにより、前方から映像を見ることもできる。
【００２９】
ホルダ２のスクリーン５１又はその他のスクリーンに映像を投写するときは、映像表示はこれら外部表示部において行われ、本体１のＬＣＤ表示部１５は、補助的な表示機能と操作機能を受け持つことになる。また、ホルダ２のスクリーンに映像を表示する場合は、映像表示操作や文字入力操作は、スクリーン５１という大画面を見ながら行うことができるので、パソコンに近い感覚で本実施の形態に係る投写型映像表示装置を使用することができる。
【００３０】
再生する映像コンテンツには、ユーザが購入した映像コンテンツ、内蔵されたカメラにより撮影されたコンテンツ、テレビコンテンツ、ゲームコンテンツなど前述のいろいろな機能から取り込まれたコンテンツ、又は取り込まれるコンテンツが含まれる。
【００３１】
また、本体１は、携帯電話会社等から提供されるコンテンツをダウンロードするための記憶装置として内部記憶装置を有する他に外部記憶装置としてのメモリカードを備えている。図１に示すように、本体１の側面にメモリカード挿入口１６が設けられている。また、本体１の前面左右には、スピーカ１７が内蔵されている。
【００３２】
一方、ホルダ２は、本体１の２次電池を充電するときの充電器であるとともに、本体１を使って映像投写するときの、本体１の支持台を兼ねるものである。
ホルダ２の筐体３は、全体を支持する基礎部分として機能する基台部４と、前面にスクリーン５１が取り付けられた投影部５とからなる。
【００３３】
基台部４は、側面視略台形状の箱型を成し、前面が上向き斜面に形成されている。また、この上向き斜面を成す前面には、前述の本体１を装着するための装着部４１が形成されている。
【００３４】
装着部４１は、基台部４の前面の大半を占める略矩形部分を窪ませた凹部から成り、本体１をこの凹部の下面部に金属ばねのような弾性部材４１ａを介在させて弾性的に固定するように形成されている（図３参照）。これにより、本体１は下方から上方に一定の力で押し付けて取り付けられる。
【００３５】
凹部を成す装着部４１の正面から見た大きさは本体１の大きさに見合うものであり、その深さは本体１の厚みと同等又はそれより少し深い程度とされている。そして、装着部４１は、本体１を装着したときに、本体１のユーザインタフェース部分が外部に露出するように構成され、ユーザによる操作が可能となるように構成されている。
【００３６】
装着部４１を構成する凹部の上面部には、本体１からの投写光を筐体内部、すなわち投影部５の内部に導入する導入口４２と、本体１の充電用端子に結合される電源端子４３と、装着部４１に本体１が装着されているか否かを検出する、スイッチ類により構成された検出部４４と、が設けられている。前述のように本体１が弾性部材４１ａにより下方から一定の弾性力により上面部に押し付けられるように設けられるのは、本体１と導入口４２との位置関係が安定化し、本体１の装着状態のバラツキが軽減されフォーカスずれなどが生じ難くなるようにするためである。
【００３７】
導入口４２には、埃侵入防止用シャッタ４５が設けられている。埃侵入防止用シャッタ４５は、前後方向にスライド式に開閉されるもので（図３における水平方向の矢印参照）、図３は閉鎖状態を示すが、本体１が装着部４１に装着されたときは、後述するように検出部４４がこれを検出し、埃侵入防止用シャッタ４５が開放される。また、この埃侵入防止用シャッタ４５の下方部には、埃侵入防止用シャッタ４５を駆動するためのシャッタ駆動機構部４５ａが設けられている。シャッタ駆動機構部４５ａは、モータなどの駆動部を有し、後述する充電回路部４６から供給される電力で動作するように設けられている。
【００３８】
電源端子４３は、基台部４の内部に設けられた充電回路部４６及び機外に配置される電源アダプタ４７を介し商用電源に接続される（図３参照）。電源アダプタ４７は、商用電源の交流電流を充電用の直流電流に変換するものである。したがって、商用電源からの交流電流は電源アダプタ４７により直流電源に変換されて充電回路部４６に供給され、本体１の２次電池は、この充電回路部４６を通して充電されるように構成されている。
【００３９】
検出部４４は、充電回路部４６から電源端子４３への回路の開閉制御を行うように構成されている。すなわち、装着部４１に本体１が取り付けられたことが検出されると、充電回路部４６から電源端子４３及び充電用端子１２を介して本体１の２次電池に電力が供給される。しかし、装着部４１から本体１が取り外されたときは、充電回路部４６において電圧が電源端子４３に印加されないように回路が遮断されるように構成されている。
【００４０】
また、検出部４４は、前述のように埃侵入防止用シャッタ４５を駆動するためのシャッタ駆動機構部４５ａの制御部を成す。すなわち、シャッタ駆動機構部４５ａは、検出部４４により本体１が装着部４１に装着されたことが検出された場合に埃侵入防止用シャッタ４５を開放し、検出部４４により本体１が装着部４１から取り外されたことが検出された場合に埃侵入防止用シャッタ４５を閉鎖するように制御されている。
【００４１】
また、装着部４１を構成する凹部の側面には、図１に示すように切欠部４８が設けられている。この切欠部４８は、前述のメモリカードを本体１に取り付けたり、メモリカードを本体１から取り外したりするためのサービス口である。また、基台部４の側面には、本体１をホルダ２から取り外すときに使用する取外しボタン４９が設けられている。取外しボタン４９を押圧すると、本体１が装着部４１を構成する凹部から浮き上がった状態に取り外される。これにより、ユーザは本体１を容易に掴んでホルダ２から完全に取り外すことができる。
【００４２】
次に、投影部５は、前面にスクリーン５１が取り付けられ、後側内面に反射ミラー５２が設けられている。そして、本体１から投写された映像光を反射ミラー５２で反射させてリアタイプ式にスクリーン５１に投写するように構成されている。なお、図３における破線矢印は、本体１から射出される映像光の光線を示す。
【００４３】
スクリーン５１は、投影部５における前面において、フレーム枠５３により保持されている。また、スクリーン５１は、フレネルシート、レンチキュラーシート、及びガラス板等の保護板を備えて構成されている。このうち、フレネルシートは、反射ミラー５２で反射された光束を平行化する。また、レンチキュラーシートは、フレネルシートを透過して平行化された光束を、当該レンチキュラーシートによって拡散して、表示画像を適切に視認できるように構成されている。保護板としてのガラス板は最前面に形成されている。
【００４４】
反射ミラー５２は、この実施の形態においては、本体１から投写される映像光を直接受けて前面のスクリーンに反射するように構成されている。これは所謂リアタイプの投写光学系を成している。
【００４５】
ホルダ２は、このようにリアタイプに構成されていることにより、本投写型映像表示装置をフロントタイプよりもコンパクトにすることができる。本実施の形態に係る投写型映像表示装置は、このように机上などに設置して前面から本体１を操作しつつ映像を見ることができるようにすることができるので、パソコンを扱うような感覚で設置することができる。
【００４６】
次に、このようの構成された本投写型映像表示装置の利用について説明する。
本体１は、携帯電話としても機能するものであって、ユーザは外出時に携帯電話と同様に使用することができる。
【００４７】
本体１に充電するときは、本体１を図３に示すように、ホルダ２の装着部４１に斜め前方から押し込んで装着する。このように本体１が装着部４１に装着されると、本体１の充電用端子１２が装着部４１の電源端子４３に接触される。そして、ホルダ２の電源アダプタ４７を商用電源に接続することにより充電が行われる。
【００４８】
次に、映像を見るときは、本体１及びホルダ２を上記の充電状態にする。そして、本体１の電源スイッチ１４を投入する。これによりＬＣＤ表示部１５にメニュー及び操作キーが表示されるので、このメニューに従って操作キーを操作し、映像コンテンツを選択することにより映像を見ることができる。ホルダ２は、出先に設置されているものでもよい。また、透過型スクリーンが設置されており、その背部から本体１を使用して投写することができる場所であれば、ホルダ２を使用しなくても映像を見ることができる。
【００４９】
本体１をホルダ２から取り外すときには、ホルダ２の取り外しボタン４９を押圧すると図示しない取外し機構が作用して本体が前面に押し出される。ここで本体を掴んで外せばよい。
【００５０】
以上のごとく構成された本実施の形態によれば次の効果を奏することができる。
（１）本体１とスクリーン５１を備えたホルダ２とが別体とされているので、本体１の携帯性を良好にすることができる。
【００５１】
（２）ホルダ２に本体１を取り付けることにより、スクリーン５１に映像を投写することができるので、別途スクリーンを用意する必要がない。
（３）本体１をホルダ２に取り付けた状態で、本体１に内蔵されている２次電池を充電することができるので、取扱いが容易である。
【００５２】
（４）本体１が装着部４１に取り付けられることにより、本体１の取付位置が安定化されるので、本体１とスクリーン５１との相対位置関係が一定化する。したがって、本体１に内蔵された投写光学部がホルダ２のスクリーン５１に対し最適な投写姿勢となるように設けられることになり、投写位置を調節するユーザの手間を省くことができる。
【００５３】
（５）本体１は、外表面部に２次電池を充電するための充電用端子１２を有し、ホルダ２は、装着部４１に本体１の２次電池充電用の端子に結合される電源端子４３を有するので、映像投写と充電作業とを同一装着姿勢で行うことができ、取扱いが便利である。
【００５４】
（６）ホルダ２は、前面にスクリーン５１が設けられるとともに、このスクリーン５１の下部に装着部４１が形成される筐体３を有し、さらに、この筐体３内部には、スクリーン５１の背面側内部において、装着部４１に装着された本体１からの映像光を反射ミラー５２によりリアタイプの原理でスクリーン５１に投写される光学系が内蔵されている。したがって、投写型映像表示装置を、フロントタイプよりもコンパクトにするとともに設置性を高めることができる。特に、このような投写型映像表示装置を机や台の上に設置する場合には、省スペースの要望を満たすことができるので好適である。また、ホルダ２のスクリーン５１への投写状態において、投写型映像表示装置の操作を容易に行うことが容易である。
【００５５】
（７）本体１は、装着部４１に装着された状態においてユーザインタフェース部分が表面に露出するように構成されているので、本体１の投写機能のみならず付加されるゲーム機能等の操作をも、別途に設けなければならない専用のコントローラに依存することなく、本体１に設けられた操作部により対応することができる。
【００５６】
（８）ホルダ２における装着部４１と筐体３の内部との間に本体１からの映像光を導入させる導入口４２が形成されるとともに、この導入口４２に埃侵入防止用シャッタ４５が設けられ、さらに、この埃侵入防止用シャッタ４５は、本体１が装着部４１に取り付けられていないときには閉鎖されるように構成されている。したがって、本体１からの投写光を導入口４２からホルダ２の筐体３の内部に導入することを可能にするとともに、埃侵入防止用シャッタ４５を閉鎖することにより、導入口４２からの埃の侵入を防止することができる。
【００５７】
（９）装着部４１に本体１が装着されているか否かを検出する検出部４４が設けられ、この検出部４４により本体１が装着されていないことが検出されたときに埃侵入防止用シャッタ４５が自動的に閉鎖されるように構成されている。したがって、本体１が取り付けられていないときに埃侵入防止用シャッタ４５の閉め忘れを防ぐことができ、映像の視認性劣化を軽減することができる。
【００５８】
（１０）本体１は、レンズフォーカスダイアル１３ａによりフォーカス調整されるレンズフォーカス調整部１３を有するとともに、このレンズフォーカス調整部１３における本体１の筐体３側には、本体１が装着部４１に取り付けられるときに調整されるべきレンズフォーカスダイアル１３ａの調整位置を示すフォーカスマーカ１３ｂが設けられている。したがって、本体１をホルダ２に取り付ける前に、本体１のレンズフォーカス調整部１３のレンズフォーカスダイアル１３ａをフォーカスマーカ１３ｂに設定することにより、本体１のフォーカス調整を簡単に行うことができる。
【００５９】
（１１）本体１は、携帯電話兼用に構成されているので、本体１に携帯性を持たせることの意義がより大きくなる。また、表示内容に携帯電話として受けられるコンテンツを拡大投写して表示するようにすれば、携帯電話というよりもパソコンのように利用することも可能となる。
【００６０】
（変形例）
本発明は、上記実施の形態において以下のように変更することができる。
・前記実施の形態においては、フォーカス調整の方法としてレンズフォーカスダイアル１３ａを用いて調整する方法を示したが、本体１の内部にフォーカス調整用の駆動部を設け、ＬＣＤ表示部１５において操作キーによりフォーカス調整メニューを操作するようにしてもよい。
【００６１】
・また、前記実施の形態の投影部５における光学系は一つの反射ミラー５２によりリアタイプのように映像光を投写する構成であるが、特許文献２に記載の従来のリアタイプのように非球面ミラー等の複数のミラーを駆使して投写するように構成してもよい。
【００６２】
・また、前記実施の形態における本体１は携帯電話に投写光学系を付加した構成としたが、携帯電話に代わりポケットサイズの投写型映像表示装置、デジタルカメラ、携帯ゲーム機、携帯型のメディアプレイ、ＰＤＡ、モバイルＰＣなどであってもよい。
【００６３】
・前記実施の形態においては、本体１の光源について特に触れていないが、光源としてＬＥＤを用いることができる。また、映像生成部の光変調器としてＤＭＤ、反射型又は透過型のＬＣＤを用いたモジュールを利用することができる。
【００６４】
・前記実施の形態においては、タッチパネル式のＬＣＤ表示部１５が操作部を兼ねる構成を示していたが、操作部を別途に設ける構成してもよい。
【符号の説明】
【００６５】
１…本体、２…ホルダ、３…筐体、１２…充電用端子、１３…レンズフォーカス調整部、１３ａ…レンズフォーカス調整ダイアル、１３ｂ…フォーカスマーカ、４１…装着部、４２…導入口、４３…電源端子、４４…検出部、４５…埃侵入防止用シャッタ、５１…スクリーン、５２…反射ミラー。
【図１】
2011227396.tif 000003
【図２】
2011227396.tif 000004
【図３】
2011227396.tif 000005